(57)【要約】【課題】ナットのサイズが異なる複数種のナットに取り付けることができるナットキャップを提供することを課題とする。【解決手段】ナットを嵌込可能な開口が形成された複数の嵌込部を有するアダプタ２と、該アダプタ２に外嵌させるカバー体３とを備え、前記複数の嵌込部２０，２１には、それぞれサイズが異なる前記開口が形成されている。【選択図】図１
2019108906.tif 000002
【特許請求の範囲】
【請求項１】
ナットを嵌込可能な開口が形成された複数の嵌込部を有するアダプタと、該アダプタに外嵌させるカバー体とを備え、前記複数の嵌込部には、それぞれサイズが異なる前記開口が形成されているナットキャップ。
【請求項２】
前記嵌込部は、ナットが嵌め込まれたときに圧縮されるように弾性変形可能であり、該嵌込部は、内部に嵌め込まれたナットの外周側面を取り囲む環状の周壁部と、該周壁部から内側に突出する突出部とを有し、該周壁部には外側に向けて凹む凹部が形成されている請求項１に記載のナットキャップ。
【請求項３】
前記突出部は、前記嵌込部の軸線方向に沿って延びるように形成されている請求項２に記載のナットキャップ。
【請求項４】
前記アダプタと前記カバー体の嵌合状態を維持するための抜止構造を備え、該抜止構造は、前記アダプタの外面に形成されているアダプタ側係合部と、前記カバー体の内面に形成され且つアダプタ側係合部と係合可能なカバー側係合部とを有する請求項１乃至請求項３の何れか１項に記載のナットキャップ。
【請求項５】
前記アダプタ側係合部又は前記カバー側係合部の何れか一方は、弾性変形可能な係合突起であり、前記アダプタ側係合部又は前記カバー側係合部の何れか他方は、前記係合突起が係合可能な係合凹部である請求項４に記載のナットキャップ。
【請求項６】
前記アダプタは、筒状に形成されるとともに、軸線方向における一方側と他方側とに別々の前記嵌込部が構成され、前記アダプタの軸線方向における一方側の開口と他方の開口とは開口面積が異なっている請求項１乃至請求項５の何れか１項に記載のナットキャップ。
【発明の詳細な説明】
【技術分野】
【０００１】
本発明は、ナットに被せるナットキャップに関する。
【背景技術】
【０００２】
従来から、ナットの露出部分の保護や装飾等のためのナットキャップが提供されており、例えば、特許文献１に開示されているような、自動車のホイールに使用されているナット（ホイールナット）に取り付けて使用するものが提供されている。
【０００３】
かかるナットキャップは、ナットに外嵌する六角筒状の下側部と、該下側部の一方の開口を塞ぐ上側部とを有し、この上側部の外面には反射材が取り付けられている。
【０００４】
下側部の内面は、六角形状となるように形成されており、該内面には下側部の中央部側に向けて突出する凸部が複数形成されている。
【０００５】
前記ナットキャップによれば、下側部をナットに外嵌させると、凸部がナットに圧接することによってナットからの脱落が防止され、さらに、反射材が人目に付く場所に配置されるため、ホイールの体裁を良くすることができるとされている。
【先行技術文献】
【特許文献】
【０００６】
【特許文献１】実開平６−１８３０号公報
【発明の概要】
【発明が解決しようとする課題】
【０００７】
ところで、ホイールナットは様々なサイズのものが使用されている一方で、上記構成のナットキャップの下側部は、特定のサイズのナットにしか外嵌させることができないため、ナットキャップのサイズがナットに対応していない場合は、別のサイズのナットキャップを新たに準備する手間がかかることがあった。
【０００８】
そこで、本発明は、斯かる実情に鑑み、ナットのサイズが異なる複数種のナットに取り付けることができるナットキャップを提供することを課題とする。
【課題を解決するための手段】
【０００９】
本発明のナットキャップは、ナットを嵌込可能な開口が形成された複数の嵌込部を有するアダプタと、該アダプタに外嵌させるカバー体とを備え、前記複数の嵌込部には、それぞれサイズが異なる前記開口が形成されている。
【００１０】
上記構成のナットキャップによれば、カバー体を外嵌させるアダプタには、サイズ違いの開口が形成されている嵌込部が複数設けられているため、取り付け対象となるナットのサイズに適合している嵌込部を選択したうえでアダプタをカバー体にセットし、カバー体ごとアダプタをナットに外嵌させることによりナットにナットキャップを取り付けることができる。従って、前記ナットキャップは、ナットのサイズが異なる複数種のナットに取り付けることができる。
【００１１】
本発明のナットキャップにおいて、前記嵌込部は、ナットが嵌め込まれたときに圧縮されるように弾性変形可能であり、該嵌込部は、内部に嵌め込まれたナットの外周側面を取り囲む環状の周壁部と、該周壁部から内側に突出する突出部とを有し、該周壁部には外側に向けて凹む凹部が形成されていてもよい。
【００１２】
かかる構成によれば、周壁部内に嵌め込まれたナットに突出部が圧接することによりアダプタがナットに対して抜け止めされ、また、適合サイズよりも大きいサイズのナットが挿入空間に嵌め込まれた場合においては、該ナットのサイズに合わせて周壁部が広がり易くなるため、複数サイズのナットを嵌め込み易くなる。
【００１３】
この場合、前記突出部は、前記嵌込部の軸線方向に沿って延びるように形成されていてもよく、かかる構成によれば、嵌込部にナットをさらに嵌め込み易くなる。
【００１４】
本発明のナットキャップは、前記アダプタと前記カバー体の嵌合状態を維持するための抜止構造を備え、該抜止構造は、前記アダプタの外面に形成されているアダプタ側係合部と、前記カバー体の内面に形成され且つアダプタ側係合部と係合可能なカバー側係合部とを有するようにしてもよい。
【００１５】
かかる構成によれば、アダプタにカバー体を外嵌させたときにアダプタ側係合部とカバー側係合部とが係合することにより、カバー体がアダプタに対して抜け止めされる。
【００１６】
この場合、前記アダプタ側係合部又は前記カバー側係合部の何れか一方は、弾性変形可能な係合突起であり、前記アダプタ側係合部又は前記カバー側係合部の何れか他方は、前記係合突起が係合可能な係合凹部であってもよい。
【００１７】
かかる構成によれば、簡単な構成でカバー体をアダプタに対して抜け止めすることができる。
【００１８】
さらに、本発明のナットキャップにおいて、前記アダプタは、筒状に形成されるとともに、軸線方向における一方側と他方側とに別々の前記嵌込部が構成され、前記アダプタの軸線方向における一方側の開口と他方の開口とは開口面積が異なっていてもよい。
【００１９】
かかる構成によれば、アダプタの向きを逆さまにするだけでナットに適合した嵌込部を選択することができるため、扱い易くなる。
【発明の効果】
【００２０】
以上のように、本発明のナットキャップによれば、ナットのサイズが異なる複数種のナットに取り付けることができるという優れた効果を奏し得る。
【図面の簡単な説明】
【００２１】
【図１】図１は、本発明の一実施形態に係るナットキャップの分解斜視図である。
【図２】図２は、同実施形態に係るナットキャップのアダプタの斜視図である。
【図３】図３は、同実施形態に係るナットキャップのアダプタの正面図である。
【図４】図４は、同実施形態に係るナットキャップのアダプタの平面図である。
【図５】図５は、同実施形態に係るナットキャップのアダプタの底面図である。
【図６】図６は、同実施形態に係るナットキャップのアダプタの右側面図である。
【図７】図７は、図３のＶＩＩ−ＶＩＩ線におけるアダプタの断面図である。
【図８】図８は、同実施形態に係るナットキャップのカバー体の斜視図である。
【図９】図９は、同実施形態に係るナットキャップのカバー体の底面図である。
【図１０】図１０は、同実施形態に係るナットキャップのカバー体の縦断面図である。
【図１１】図１１は、同実施形態に係るナットキャップの使用状態の説明図であって、カバー体にアダプタを外嵌している状態の説明図である。
【発明を実施するための形態】
【００２２】
以下、本発明の一実施形態にかかるナットキャップについて添付図面を参照しつつ説明する。
【００２３】
ナットキャップは、ナット（ボルトに螺合させたナット）の露出部分に被せるように構成されており、該露出部分の保護や装飾のために使用されている。なお、本実施形態では、自動車のホイールに使用されている六角系のナット（ホイールナット）に取り付けることを前提としてナットキャップについての説明を行うこととする。
【００２４】
図１に示すように、ナットキャップ１は、ナットを嵌込可能な嵌込部２０、２１が複数形成されたアダプタ２と、該アダプタ２に外嵌させるカバー体３と、アダプタ２とカバー体３の嵌合状態を維持するための抜止構造４とを備えている。
【００２５】
本実施形態に係るアダプタ２は、全体が合成ゴム等の弾性を有する材料で形成されているため、各嵌込部２０，２１は、弾性変形可能である。また、アダプタ２は、図２乃至図６に示すように、筒状に形成されており、中心線が延びる方向（以下、軸線方向と称する）における一方の開口端側と他方の開口端側とがそれぞれ別々の嵌込部２０，２１となっている。
【００２６】
アダプタ２には、幅（ナット対辺）が３２ｍｍ、３３ｍｍ、４１ｍｍのナットを嵌込可能であり、本実施形態では、一方の嵌込部２０にはナット対辺が３２ｍｍ、３３ｍｍのナットを嵌込可能であり、他方の嵌込部２１にはナット対辺が４１ｍｍのナットを嵌込可能である。なお、以下の説明において、一方の嵌込部２０を第一の嵌込部２０、他方の嵌込部２１を第二の嵌込部２１、と称することとする。
【００２７】
第一の嵌込部２０には、図４、及び図７に示すように、ナットを嵌込可能な挿入空間（第一の挿入空間）２００が形成されており、該第一の挿入空間２００の開口は、六角形状となっている。また、第一の挿入空間２００の開口縁部は、全周に亘って面取りされており、内側（径内側）であるほど奥側に向かうように傾斜している。
【００２８】
本実施形態に係る第一の嵌込部２０は、第一の挿入空間２００に嵌め込まれたナットの外周側面に固定する第一の固定部２０１を有する。
【００２９】
第一の固定部２０１は、ナットの外周側面を取り囲む周壁部（第一の周壁部）２０１ａと、該第一の周壁部２０１ａから内側（第一の挿入空間２００の内側に向かう方向）に突出する突出部（第一の突出部）２０１ｂと、該第一の周壁部２０１ａに対して外側（第一の挿入空間２００の外側（径外側）に向かう方向）に向けて凹むように形成された凹部（第一の凹部）２０１ｃと、を有する。
【００３０】
第一の周壁部２０１ａは、ナットの形状に合わせて六角環状に形成されている。そのため、第一の固定部２０１には、前記軸線方向を中心とする周方向で連続する６つの第一の面部２０１ｄが含まれている。
【００３１】
第一の突出部２０１ｂは、図７に示すように、前記軸線方向に沿って延びており、本実施形態では、この第一の突出部２０１ｂが間隔をあけて平行に並ぶように２つ形成されている。
【００３２】
第一の凹部２０１ｃは、２つの第一の突出部２０１ｂの間に形成されており、また、前記軸線方向に沿って延びるように形成されている。そのため、第一の凹部２０１ｃの長手方向と直交する方向の両側には、第一の突出部２０１ｂが隣り合うように形成されている。
【００３３】
また、第一の凹部２０１ｃの底部は、第一の面部２０１ｄにおける第一の突出部２０１ｂの外側の領域よりも、前記軸線方向に直交する方向において外側に位置している。
【００３４】
なお、本実施形態に係る第一の凹部２０１ｃは、角溝状に形成されている。また、本実施形態に係る第一の嵌込部２０では、６つの第一の面部２０１ｄのそれぞれに対して２つの第一の突出部２０１ｂと一つの凹部とが一組にして形成されている。
【００３５】
第二の嵌込部２１には、図５、及び図７に示すように、ナットを嵌込可能な挿入空間（第二の挿入空間）２１０が形成されている。上述のように、本実施形態に係るアダプタ２では、前記一方の開口端側と前記他方の開口端側がそれぞれ第一の嵌込部３０、第二の嵌込部２１となっているため、第一の嵌込部２０と第二の嵌込部２１とは相反する方向に向けて開口している。また、アダプタ２の内部では、第一の嵌込部２０と第二の嵌込部２１とが互いに連通している。
【００３６】
そして、第二の嵌込部２１は、第一の嵌込部２０よりも大きいサイズのナットを嵌込可能である。
【００３７】
第二の嵌込部２１は、挿入空間に嵌め込まれたナットの外周側面に固定する第二の固定部２１１を有する。
【００３８】
第二の固定部２１１は、ナットの外周側面を取り囲む周壁部（第二の周壁部）２１１ａと、該第二の周壁部２１１ａから内側（第二の挿入空間２１０の内側に向かう方向）に突出する突出部（第二の突出部）２１１ｂと、を有する。
【００３９】
第二の周壁部２１１ａは、ナットの形状に合わせて六角環状に形成されている。そのため、第二の固定部２１１には、前記中心線周りで連続する６つの第二の面部２１１ｄが含まれている。
【００４０】
第二の固定部２１１のサイズは、図７に示すように、第一の固定部２０１のサイズよりも大きくなっている。より具体的に説明すると、第二の固定部２１１の対辺間の距離（対向する第二の面部２１１ｄ間の距離）は、第一の固定部２０１の対辺間の距離（対向する第一の面部２０１ｄ間の距離）よりも大きくなっている。そのため、各第二の面部２１１ｄは、第一の面部２０１ｄよりも外側に位置している。
【００４１】
第二の突出部２１１ｂは、前記軸線方向に沿って延びており、この第二の突出部２１１ｂが間隔をあけて平行に並ぶように２つ形成されている。なお、本実施形態に係る第二の突出部２１１ｂは、前記軸線方向における第二の面部２１１ｄの全長に亘って延びている。
【００４２】
本実施形態に係る第二の面部２１１ｄにおいては、一対の第二の突出部２１１ｂの間の領域の位置（前記軸線方向に直交する方向での位置）と、一対の第二の突出部２１１ｂよりも外側の領域の位置（前記軸線方向に直交する方向での位置）とが同一又は略同一となっている。
【００４３】
そのため、第一の凹部２０１ｃは、一対の第二の突出部２１１ｂの間に形成される凹部２１１ｃ（第二の凹部２１１ｃ）よりも深くなるように形成されている。
【００４４】
なお、本実施形態に係る第二の嵌込部２１では、６つの第二の面部２１１ｄのそれぞれに対して２つの第二の突出部２１１ｂが形成されている。
【００４５】
カバー体３は、アダプタ２の外周側面を取り囲む筒状の外筒部３０と、該外筒部３０の一方の開口を塞ぐ閉塞部３１とを有する。なお、外筒部３０、閉塞部３１には適宜装飾（例えば、メッキ、着色、装飾的な造形等）を施すことができ、ナットへの取り付け時に美観を向上させることができる。
【００４６】
外筒部３０は、六角筒状に形成されている。より具体的に説明すると、本実施形態に係る外筒部３０は、アダプタ２の外周側面を取り囲む六角環状の内壁部３００と、内壁部３００から内側に突出する凸部３０１とを有する。
【００４７】
上述のように、内壁部３００は、ナットの形状に合わせて六角環状に形成されている。そのため、内壁部３００には、前記中心線周りで連続する６つの内面部３００ａが含まれている。
【００４８】
凸部３０１は、前記軸線方向に沿って延びており、本実施形態では、この凸部３０１が間隔をあけて平行に並ぶように６つ形成されている。なお、本実施形態に係る凸部３０１は、前記軸線方向における内面部３００ａの全長に亘って延びている。
【００４９】
なお、本実施形態に係る外筒部３０では、６つの内面部３００ａのそれぞれに対して６つの凸部３０１が形成されている。
【００５０】
抜止構造４は、図７、及び図１０に示すように、アダプタ２の外面に形成されているアダプタ側係合部４０（図７参照）と、カバー体３の内面に形成され且つアダプタ側係合部４０と係合可能なカバー側係合部４１（図１０参照）とを有する。
【００５１】
アダプタ側係合部４０は、前記軸線方向に直交する方向においては、第一の凹部２０１ｃ及び第二の凹部と対応する位置に形成されており（図５参照）、また、前記軸線方向においては、第一の凹部２０１ｃからずれた位置に形成されている。
【００５２】
アダプタ側係合部４０は、アダプタ２の外面から突出する突起で構成され、カバー側係合部４１は、カバー体３の内面部３００ａに形成された凹部で構成されており、アダプタ２にカバー体３を外嵌させると、アダプタ側係合部４０とカバー側係合部４１とが互いに係合するように構成されている。このように、本実施形態では、アダプタ側係合部４０が弾性変形可能な係合突起となり、カバー側係合部４１が係合突起が係合可能な係合凹部となっている。
【００５３】
本実施形態に係るナットキャップ１の構成は以上の通りである。続いて、ナットキャップ１の使い方について添付図面を参照しつつ説明する。
【００５４】
ナットキャップ１をナットに取り付けるには、第一の嵌込部２０、第二の嵌込部２１のうち、ナットＮのサイズに適合しているものを選択する。そして、選択した第一の嵌込部２０又は第二の嵌込部２１の開口がカバー体３の開口端側に位置するようにしてアダプタ２をカバー体３内に挿入する。なお、本実施形態では、第二の嵌込部２１の開口がカバー体３の開口端側に位置するようにしてアダプタ２をカバー体３内に挿入している。
【００５５】
このとき、抜止構造４のアダプタ側係合部４０と、カバー側係合部４１とが互いに係合し合うため、カバー体３のアダプタ２からの脱落が防止される。
【００５６】
続いて、図１１に示すように、ナットＮにアダプタ２ごとカバー体３を外嵌させる（被せる）。本実施形態のように、第二の嵌込部２１の開口がカバー体３の開口端側に位置するようにしてアダプタ２がカバー体３内に挿入されている場合は、第二の突出部２１１ｂがナットＮの外周側面に圧接することにより、アダプタ２及びカバー体３がナットＮに固定される。
【００５７】
一方、第一の嵌込部２０の開口がカバー体３の開口端側に位置するようにしてアダプタ２がカバー体３内に挿入されている場合は、第一の突出部２０１ｂがナットＮの外周側面に圧接することにより、アダプタ２及びカバー体３がナットＮに固定される。
【００５８】
以上のように、本実施形態に係るナットキャップ１によれば、カバー体３を外嵌させるアダプタ２には、サイズ違いの第一の嵌込部２０と第二の嵌込部２１とが形成されているため、第一の嵌込部２０と第二の嵌込部２１のうち、取り付け対象となるナットＮのサイズに合っているものを選択してアダプタ２をナットＮに外嵌させることができる。従って、ナットＮのサイズが異なる複数種のナットＮに取り付けることができるという優れた効果を奏し得る。
【００５９】
また、第一の嵌込部２０と、第二の嵌込部２１とは弾性変形可能であり、第一の嵌込部２０には第一の周壁部２０１ａから内側に突出する第一の突出部２０１ｂが形成され、第二の嵌込部２１には第二の周壁部２１１ａから内側に突出する第二の突出部２１１ｂが形成されているため、第一の挿入空間２００、若しくは第二の挿入空間２１０に挿入したナットＮの外周側面に第一の突出部２０１ｂ、若しくは第一の突出部２０１ｂが圧接することで、アダプタ２がナットＮに対して抜け止めされる。
【００６０】
さらに、第一の嵌込部２０の第一の周壁部２０１ａ（第一の面部２０１ｄ）には、外側に向けて凹む第一の凹部２０１ｃが形成されているため、適合サイズよりも大きいサイズのナットＮが挿入空間に嵌め込まれたときに、該ナットＮのサイズに合わせて周壁部が広がるように弾性変形し易くなる。これにより、例えば、ナット対辺が３２ｍｍのナットＮと３３ｍｍのナットＮ等、僅かにサイズが異なるナットＮに対して第一の嵌込部２０一つで対応することができる。
【００６１】
また、第一の嵌込部２０にナットＮを嵌め込むと、アダプタ２が外側に膨らむように変形するに伴って、アダプタ２の外面から突出する突起で構成されるアダプタ側係合部４０の位置が外側にずれるため、アダプタ側係合部４０とカバー側係合部４１との係合状態が維持され易くなる。
【００６２】
さらに、本実施形態では、第一の嵌込部２０の第一の挿入空間２００と、第二の嵌込部２１の第二の挿入空間２１０とがアダプタ２内部で連通しているため、ナットＮから延出しているボルトのねじ部がアダプタ２内に干渉し難くなる。
【００６３】
本実施形態では、第一の嵌込部２０の第一の挿入空間２００と、第二の嵌込部２１の第二の挿入空間２１０とがアダプタ２内部で連通しているため、ナットＮから延出しているボルトのねじ部がアダプタ２内に干渉し難くなる。
【００６４】
また、第一の突出部２０１ｂ、第二の突出部２１１ｂは、それぞれ前記軸線方向に沿って真っ直ぐに延びているため、第一の嵌込部２０や、第二の嵌込部２１に対してナットＮを嵌め込み易くなる。
【００６５】
さらに、本実施形態では、第一の挿入空間２００の開口縁部が全周に亘って面取りされているため、第一の嵌込部２０においては、さらにナットＮを嵌め込み易くなっている。
【００６６】
なお、本発明のナットキャップは、上記一実施形態に限定されるものではなく、本発明の要旨を逸脱しない範囲において種々変更を行うことができるのは勿論である。
【００６７】
上記実施形態では、各第一の面部２０１ｄに対して第一の突出部２０１ｂと第一の凹部２０１ｃとが形成されていたが、この構成に限定されない。例えば、６つの第一の面部２０１ｄのうちの一部の第一の面部２０１ｄに対して第一の突出部２０１ｂと第一の凹部２０１ｃとが形成されていてもよい。
【００６８】
上記実施形態において、第一の突出部２０１ｂは、前記軸線方向における第一の面部２０１ｄの全長に亘って延びていたが、この構成に限定されず、例えば、前記軸線方向における第一の面部２０１ｄの全長よりも短くなるように形成されていてもよい。
【００６９】
上記実施形態において、第一の突出部２０１ｂは、前記軸線方向における第一の面部２０１ｄの全長に亘って延びていたが、この構成に限定されず、例えば、第一の面部２０１ｄには、複数の第一の突出部２０１ｂを前記軸線方向で間欠的に並べて形成してもよい。
【００７０】
上記実施形態において、第一の面部２０１ｄには、２つの第一の突出部２０１ｂが形成されていたが、この構成に限定されない。例えば、第一の面部２０１ｄには、一つの第一の突出部２０１ｂのみが形成されていてもよいし、３つ以上の第一の突出部２０１ｂが形成されていてもよい。
【００７１】
上記実施形態において、第一の突出部２０１ｂは、前記軸線方向に沿って真っ直ぐに延びていたが、この構成に限定されない。例えば、第一の突出部２０１ｂは、前記軸線方向に沿って傾斜する方向に延びていてもよい。
【００７２】
また、本実施形態では、第一の突出部２０１ｂが角形状に形成されているが、丸みを帯びた形状になっていてもよい。
【００７３】
上記実施形態において、第一の凹部２０１ｃは、前記軸線方向における第一の面部２０１ｄの全長に亘って延びていたが、この構成に限定されず、例えば、前記軸線方向における第一の面部２０１ｄの全長よりも短くなるように形成されていてもよい。
【００７４】
上記実施形態において、第一の面部２０１ｄには、１つの第一の凹部２０１ｃが形成されていたが、この構成に限定されない。例えば、第一の面部２０１ｄには、２つ以上の第一の凹部２０１ｃが形成されていてもよい。
【００７５】
上記実施形態において、第一の凹部２０１ｃは、前記軸線方向に沿って真っ直ぐに延びていたが、この構成に限定されない。例えば、第一の凹部２０１ｃは、前記軸線方向に沿って傾斜する方向に延びていてもよい。
【００７６】
また、本実施形態では、第一の凹部２０１ｃが角溝状に形成されているが、丸溝状になっていてもよい。
【００７７】
上記実施形態では、各第二の面部２１１ｄに対して第二の突出部２１１ｂが形成されていたが、この構成に限定されない。例えば、６つの第二の面部２１１ｄのうちの一部の第二の面部２１１ｄに対して第二の突出部２１１ｂが形成されていてもよい。
【００７８】
上記実施形態において、第二の突出部２１１ｂは、前記軸線方向における第二の面部２１１ｄの全長に亘って延びていたが、この構成に限定されず、例えば、前記軸線方向における第二の面部２１１ｄの全長よりも短くなるように形成されていてもよい。
【００７９】
上記実施形態において、第二の突出部２１１ｂは、前記軸線方向における第二の面部２１１ｄの全長に亘って延びていたが、この構成に限定されず、例えば、第二の面部２１１ｄには、複数の第二の突出部２１１ｂを前記軸線方向で間欠的に並べて形成してもよい。
【００８０】
上記実施形態において、第二の面部２１１ｄには、２つの第二の突出部２１１ｂが形成されていたが、この構成に限定されない。例えば、第二の面部２１１ｄには、一つの第二の突出部２１１ｂのみが形成されていてもよいし、３つ以上の第二の突出部２１１ｂが形成されていてもよい。
【００８１】
上記実施形態において、第二の突出部２１１ｂは、前記軸線方向に沿って真っ直ぐに延びていたが、この構成に限定されない。例えば、第二の突出部２１１ｂは、前記軸線方向に沿って傾斜する方向に延びていてもよい。
【００８２】
また、本実施形態では、第二の突出部２１１ｂが角形状に形成されているが、丸みを帯びた形状になっていてもよい。
【００８３】
上記実施形態では言及しなかったが、第二の固定部２１１には、第一の面部２０１ｄから外側（挿入空間の外側）に向けて凹む第二の凹部が形成されていてもよい。
【００８４】
上記実施形態において、アダプタ２は、筒状であったが、この構成に限定されない。例えば、アダプタ２は有低筒状、すなわち、軸線方向における開口の一方が塞がれていてもよい。この場合、第一の嵌込部２０や、第二の嵌込部２１には、一方の開口を通じてナットＮを嵌め込む用に構成されていればよい。
【００８５】
上記実施形態の抜止構造４では、アダプタ側係合部４０がアダプタ２の外面から突出する突起で構成され、カバー側係合部４１がカバー体３の内面部３００ａに形成された凹部で構成されていたが、この構成に限定されない、例えば、抜止構造４では、アダプタ側係合部４０がアダプタ２の外面に形成された凹部で構成され、カバー側係合部４１がカバー体３の内面部３００ａから内側に突出した突起で構成されていてもよい。
【００８６】
上記実施形態では、各内面部３００ａに対して凸部３０１が形成されていたが、この構成に限定されない。例えば、６つの内面部３００ａのうちの一部の内面部３００ａに対して凸部３０１が形成されていてもよい。
【００８７】
上記実施形態において、凸部３０１は、前記軸線方向における内面部３００ａの全長に亘って延びていたが、この構成に限定されず、例えば、凸部３０１は、前記軸線方向における内面部３００ａの全長よりも短くなるように形成されていてもよい。
【００８８】
上記実施形態において、凸部３０１は、前記軸線方向における内面部３００ａの全長に亘って延びていたが、この構成に限定されず、例えば、内面部３００ａには、複数の凸部３０１を前記軸線方向で間欠的に並べて形成してもよい。
【００８９】
上記実施形態において、内面部３００ａには６つの凸部３０１が形成されていたが、この構成に限定されず、例えば、内面部３００ａには６つ未満、若しくは７つ以上の凸部３０１が形成されていてもよい。
【００９０】
上記実施形態において、凸部３０１は、前記軸線方向に沿って真っ直ぐに延びていたが、この構成に限定されない。例えば、凸部３０１は、前記軸線方向に沿って傾斜する方向に延びていてもよい。
【００９１】
また、本実施形態では、凸部３０１が角形状に形成されていたが、丸みを帯びた形状になっていてもよい。
【００９２】
上記実施形態では、ナットキャップ１を取り付けるナットＮは、六角形状であることを前提としていたが、例えば、ナットＮの形状は六角形状でなくてもよい。この場合、第一の挿入空間２００の開口、第二の挿入空間２１０の開口の形状は、ナットＮの形状に合わせて形成されていればよい。
【００９３】
また、第一の嵌込部２０の内部と、第二の嵌込部２１の内部は、ともに六角形状となっていたが、例えば、第一の嵌込部２０の内部と、第二の嵌込部２１の内部は、別々の形状であってもよい。
【００９４】
上記実施形態において、特に言及しなかったが、ナットキャップ１は、例えば、ボルトの頭部に取り付けることも可能である。
【符号の説明】
【００９５】
１…ナットキャップ、２…アダプタ、３…カバー体、４…抜止構造、２０…嵌込部、２１…嵌込部、３０…外筒部、３１…閉塞部、４０…アダプタ側係合部、４１…カバー側係合部、２００…挿入空間、２０１…圧接壁部、２０１ａ…周壁部、２０１ｂ…突出部、２０１ｃ…凹部、２０１ｄ…面部、２１０…挿入空間、２１１…圧接壁部、２１１ａ…周壁部、２１１ｂ…突出部、２１１ｃ…第二の凹部、２１１ｄ…面部、３００…内壁部、３００ａ…内面部、３０１…凸部、Ｂ…ボルト、Ｎ…ナット
【図１】
2019108906.tif 000003
【図２】
2019108906.tif 000004
【図３】
2019108906.tif 000005
【図４】
2019108906.tif 000006
【図５】
2019108906.tif 000007
【図６】
2019108906.tif 000008
【図７】
2019108906.tif 000009
【図８】
2019108906.tif 000010
【図９】
2019108906.tif 000011
【図１０】
2019108906.tif 000012
【図１１】
2019108906.tif 000013